【手続補正書】
【提出日】平成20年10月22日(2008.10.22)
【手続補正１】
【補正対象書類名】特許請求の範囲
【補正対象項目名】全文
【補正方法】変更
【補正の内容】
【特許請求の範囲】
【請求項１】
ポリカーボネート及びコポリエステルを含んでなる押出吹込成形可能なブレンド。
【請求項２】
４５〜９０重量％のコポリエステル及び１０〜５５重量％のポリカーボネートを含む請求項１に記載のブレンド。
【請求項３】
少なくとも３の剪断減粘比を有する請求項１に記載のブレンド。
【請求項４】
前記ポリカーボネートが２〜１８のメルトフローレートを有する請求項１に記載のブレンド。
【請求項５】
前記ポリカーボネートが分岐剤を含む請求項１に記載のブレンド。
【請求項６】
前記コポリエステルが０．５〜１．１のインヘレント粘度及び少なくとも５の剪断減粘比を有し、且つ
Ａ．テレフタル酸残基を含む二酸残基；
Ｂ．５２〜７５モル％の１，４−シクロヘキサンジメタノール残基及び２５〜４８モル％のエチレングリコール残基を含むジオール残基；並びに
Ｃ．０．０５〜１．０モル％の三官能価モノマーの残基
を含む請求項１に記載のブレンド。
【請求項７】
前記コポリエステルが
Ａ．少なくとも４０モル％のテレフタル酸残基を含む二酸残基；
Ｂ．５２〜６５モル％の１，４−シクロヘキサンジメタノール残基及び３５〜４８モル％のエチレングリコール残基を含むジオール残基；並びに
Ｃ．０．０５〜１．０モル％のベンゼントリカルボン酸又はその無水物の残基
を含む請求項６に記載のブレンド。
【請求項８】
前記コポリエステルが０．６〜０．９のインヘレント粘度を有し、且つ
Ａ．少なくとも４０モル％のテレフタル酸残基を含む二酸残基；
Ｂ．５２〜７５モル％の１，４−シクロヘキサンジメタノール残基及び２５〜４８モル％のエチレングリコール残基を含むジオール残基；並びに
Ｃ．０．１〜０．２５モル％のベンゼントリカルボン酸又はその無水物の残基
を含む請求項６に記載のブレンド。
【請求項９】
前記コポリエステルが０．６〜０．９のインヘレント粘度を有し、且つ
Ａ．テレフタル酸残基から本質的に成る二酸残基；
Ｂ．５２〜７５モル％の１，４−シクロヘキサンジメタノール残基及び２５〜４８モル％のエチレングリコール残基から本質的に成るジオール残基；並びに
Ｃ．０．１〜０．２５モル％のトリメリット酸又はその無水物の残基
を含む請求項６に記載のブレンド。
【請求項１０】
前記三官能価モノマーがトリカルボン酸又はそのエステル及び脂肪族トリオールからなる群から選ばれる請求項６に記載のブレンド。
【請求項１１】
前記三官能価モノマーがベンゼントリカルボン酸又はその無水物である請求項１０に記載のブレンド。
【請求項１２】
ポリカーボネート及び少なくとも１種のコポリエステルを含む、押出吹込成形可能なブレンド。
【請求項１３】
４５〜９０重量％のコポリエステル及び１０〜５５重量％のポリカーボネートを含む請求項１２に記載のブレンド。
【請求項１４】
少なくとも３の剪断減粘比を有する請求項１２に記載のブレンド。
【請求項１５】
前記ポリカーボネートが２〜１８のメルトフローレートを有する請求項１２に記載のブレンド。
【請求項１６】
前記ポリカーボネートが分岐剤を含む請求項１２に記載のブレンド。
【請求項１７】
４０〜１００重量％の第１のコポリエステル及び０〜６０重量％の第２のコポリエステルを含み、前記第１のコポリエステルが０．５〜１．１のインヘレント粘度及び少なくとも５の剪断減粘比を有し且つ
Ａ．テレフタル酸残基を含む二酸残基；
Ｂ．４５〜７５モル％の１，４−シクロヘキサンジメタノール残基及び２５〜５５モル％のエチレングリコール残基を含むジオール残基；並びに
Ｃ．０．０５〜１．０モル％の三官能価モノマーの残基
を含み、前記第２のコポリエステルが０．５〜１．１のインヘレント粘度及び少なくとも２の剪断減粘比を有し且つ
Ａ．テレフタル酸残基を含む二酸残基；並びに
Ｂ．５２〜９０モル％の１，４−シクロヘキサンジメタノール残基及び１０〜４８モル％のエチレングリコール残基を含むジオール残基
を含み、前記第１及び第２のコポリエステル中の１，４−シクロヘキサンジメタノールの平均量が５２〜７５モル％である請求項１２に記載のブレンド。
【請求項１８】
前記第１のコポリエステルが
Ａ．少なくとも４０モル％のテレフタル酸残基を含む二酸残基；
Ｂ．４５〜６５モル％の１，４−シクロヘキサンジメタノール残基及び３５〜５５モル％のエチレングリコール残基を含むジオール残基；並びに
Ｃ．０．０５〜１．０モル％のベンゼントリカルボン酸又はその無水物の残基
を含む請求項１７に記載のブレンド。
【請求項１９】
前記第１のコポリエステルが０．６〜０．９のインヘレント粘度を有し、且つ
Ａ．少なくとも４０モル％のテレフタル酸を含む二酸残基；
Ｂ．４５〜７５モル％の１，４−シクロヘキサンジメタノール残基及び２５〜５５モル％のエチレングリコール残基を含むジオール残基；並びに
Ｃ．０．１〜０．２５モル％のベンゼントリカルボン酸又はその無水物の残基
を含み、前記第２コポリエステルが０．６〜０．９のインヘレント粘度を有し且つ
Ａ．テレフタル酸残基を含む二酸残基；並びに
Ｂ．５２〜９０モル％の１，４−シクロヘキサンジメタノール残基及び１０〜４８モル％のエチレングリコール残基を含むジオール残基
を含む請求項１７に記載のブレンド。
【請求項２０】
前記第１のコポリエステルが０．６〜０．９のインヘレント粘度を有し、且つ
Ａ．テレフタル酸残基から本質的に成る二酸残基；
Ｂ．４８〜６５モル％の１，４−シクロヘキサンジメタノール残基及び３５〜５２モル％のエチレングリコール残基から本質的に成るジオール残基；並びに
Ｃ．０．１〜０．２５モル％のトリメリット酸又はその無水物の残基
を含む請求項１７に記載のブレンド。
【請求項２１】
Ｉ．９０〜１００モル％の４，４’−イソプロピリデンジフェノール単位及び０〜１０モル％の炭素数２〜１６の改質用ジオール単位を含むジオール成分を含むポリカーボネート１〜９９重量％と
ＩＩ．Ａ．（１）テレフタル酸残基を含む二酸残基；
（２）４５〜７５モル％の１，４−シクロヘキサンジメタノール残基と２５〜５５モル％のエチレングリコール残基を含むジオール残基；及び
（３）０．０５〜１．０モル％の三官能価モノマーの残基
を含む第１のコポリエステル４０〜１００重量％；並びに
Ｂ．（１）テレフタル酸残基を含む二酸残基；及び
（２）５２〜９０モル％の１，４−シクロヘキサンジメタノール残基と１０〜４８モル％のエチレングリコール残基を含むジオール残基
を含む第２のコポリエステル０〜６０重量％
を含む混合物１〜９９重量％（前記第１及び第２のコポリエステル中の１，４−シクロヘキサンジメタノール残基の平均量は５２〜７５モル％である）
を含んでなる押出吹込成形可能なブレンド。
【請求項２２】
４５〜９０重量％の前記混合物及び１０〜５５重量％の前記ポリカーボネートを含む請求項２１に記載のブレンド。
【請求項２３】
（ａ）ポリカーボネート、第１のコポリエステル及び、場合によっては、第２のコポリエステルをブレンドし；
（ｂ）前記工程（ａ）の前、（ａ）の間又は（ａ）の後に、前記ポリカーボネート、前記第１のコポリエステル及び、場合によっては、前記第２のコポリエステルを溶融させて、溶融ブレンドを形成し；そして
（ｃ）前記溶融ブレンドを冷却して、明澄な物品を形成する
工程を含む請求項２１に記載のブレンドからの明澄な物品の製造方法。
【請求項２４】
請求項１に記載のブレンドから押出吹込成形された造形品。
【請求項２５】
請求項１２に記載のブレンドから押出吹込成形された造形品。
【請求項２６】
請求項２１に記載のブレンドから押出吹込成形された造形品。
【請求項２７】
請求項９に記載のブレンドから押出吹込成形された容器。
【請求項２８】
請求項２０に記載のブレンドから押出吹込成形された容器。
【請求項２９】
請求項２１に記載のブレンドから押出吹込成形された容器。
【請求項３０】
Ｉ．９０〜１００モル％の４，４’−イソプロピリデンジフェノール単位及び０〜１０モル％の炭素数２〜１６の改質用ジオール単位を含むジオール成分を含むポリカーボネート１〜９９重量％と
ＩＩ．Ａ．（１）テレフタル酸残基を含む二酸残基；
（２）４５〜７５モル％の１，４−シクロヘキサンジメタノール残基と２５〜５５モル％のエチレングリコール残基を含むジオール残基；及び
（３）０．０５〜１．０モル％の三官能価モノマーの残基
を含む第１のコポリエステル４０〜１００重量％；並びに
Ｂ．（１）テレフタル酸残基を含む二酸残基；及び
（２）５２〜９０モル％の１，４−シクロヘキサンジメタノール残基と１０〜４８モル％のエチレングリコール残基を含むジオール残基
を含む第２のコポリエステル０〜６０重量％
を含む混合物１〜９９重量％（前記第１及び第２のコポリエステル中の１，４−シクロヘキサンジメタノール残基の平均量は５２〜７５モル％である）
を含んでなる、押出吹込成形及び溶融押出可能なブレンド。
【請求項３１】
４５〜９０重量％の前記混合物及び１０〜５５重量％の前記ポリカーボネートを含む請求項３０に記載のブレンド。
【請求項３２】
（ａ）ポリカーボネート、第１のコポリエステル及び、場合によっては、第２のコポリエステルをブレンドし；そして
（ｂ）続いて前記ブレンドを溶融押出して、フィルム又はシートを形成する
工程を含む請求項３０に記載のブレンドからの明澄な物品の製造方法。
【請求項３３】
請求項３０に記載のブレンドから溶融押出された造形品。
【請求項３４】
請求項３２に記載の方法を用いて製造されたフィルム又はシート。
【請求項３５】
請求項１、１２、２１又は３０に記載のブレンドからの射出成形品。
【請求項３６】
請求項３２に記載の方法を用いた射出成形品。